(57)【要約】【課題】１．５層分以上の高さを有する階を備えた建物において、部屋の横方向への拡がりを得ることができる建物を提供する。【解決手段】１．５層分以上の高さを有する階に、床面から天井面まで吹き抜ける吹抜け空間Ｋが設けられており、この吹抜け空間Ｋを挟むようにして中間床１５，３０が設けられている。したがって、一方の中間床１５の上方または下方にある部屋２６が、他方の中間床３０の上方または下方にある部屋１６と吹抜け空間Ｋを介して連続するので、部屋２６，１６の横方向への空間的な拡がりを得ることができる。【選択図】図１
2006077457.tif 000002
【特許請求の範囲】
【請求項１】
１．５層分以上の高さを有する階に、床面から天井面まで吹き抜ける吹抜け空間が設けられており、この吹抜け空間を挟むようにして中間床が設けられていることを特徴とする建物。
【請求項２】
請求項１に記載の建物において、
前記吹抜け空間を挟むようにして設けられた一方の中間床の下方には、第１収納空間が設けられており、
他方の中間床は前記一方の中間床より上方に設けられ、該他方の中間床より上方には、第２収納空間が設けられており、この第２収納空間は仕切壁によって分割され、分割された一方の分割収納空間は、前記吹抜け空間に面して開放されていることを特徴とする建物。
【請求項３】
請求項２に記載の建物において、
前記一方の中間床と他方の中間床との高低差が、０．５層分となっていることを特徴とする建物。
【請求項４】
請求項２または３に記載の建物において、
前記第１収納空間は仕切壁によって分割され、分割された一方の分割収納空間は、前記吹抜け空間に面して開放されていることを特徴とする建物。
【請求項５】
請求項２〜４のいずれか一項に記載の建物において、
前記一方の中間床より上方の居室空間と、前記他方の中間床より下方の居室空間とは、前記吹抜け空間を介して連続していることを特徴とする建物。
【請求項６】
請求項２〜５のいずれか一項に記載の建物において、
前記仕切壁には、開口部とこの開口部を開閉する開閉部材が設けられていることを特徴とする建物。
【発明の詳細な説明】
【技術分野】
【０００１】
本発明は、１．５層分以上の高さを有する階を備えた建物に関する。
【背景技術】
【０００２】
１．５層分の高さを有する階を備えた建物の一例として、特許文献１に記載のものが知られている。この建物は、２階に１．５層分の高さの吹抜け空間を有する建物ユニットが設けられており、この吹抜け空間と屋根裏空間とが連通されて、屋根裏空間がロフトとされているものである。
このような建物では、室内から吹抜け空間を利用して、梯子等を用いてロフトに入ることができるので、ロフトをいろいろな用途に使用することができ、利用価値の高い建物とすることができる。
【特許文献１】特開２００３−３０１５２０号公報
【発明の開示】
【発明が解決しようとする課題】
【０００３】
ところで、上記のような建物では、吹抜け空間を有する建物ユニットが、約１．５層分の高さを有しているが、その内部の部屋は上端部でロフトと連通しているだけであり、横方向に部屋の空間的な拡がりを得ることはできない。
【０００４】
本発明は上記事情に鑑みてなされたものであり、１．５層分以上の高さを有する階を備えた建物において、部屋の横方向への拡がりを得ることができる建物を提供することを課題としている。
【課題を解決するための手段】
【０００５】
上記課題を解決するために、請求項１に記載の発明は、例えば図１〜図１１に示すように、１．５層分以上の高さを有する階に、床面から天井面まで吹き抜ける吹抜け空間Ｋが設けられており、この吹抜け空間Ｋを挟むようにして中間床１５，３０が設けられていることを特徴とする。
【０００６】
ここで、１．５層分以上の高さとは、１．５階以上分の高さのことを意味する。通常の階は１層分の高さを有しているが、本願発明の建物では１．５層分以上の高さを有する階を備えているのである。
また、前記中間床１５，３０は、吹抜け空間Ｋを挟むようにして設けられていれば、中間床１５，３０の高さは等しくても異なっていてもよい。
【０００７】
請求項１に記載の発明によれば、一方の中間床１５の上方または下方にある部屋２６が、他方の中間床３０の上方または下方にある部屋１６と吹抜け空間Ｋを介して連続するので、部屋２６，１６の横方向への空間的な拡がりを得ることができる。
【０００８】
請求項２に記載の発明は、請求項１に記載の建物において、
前記吹抜け空間Ｋを挟むようにして設けられた一方の中間床１５の下方には、第１収納空間３が設けられており、
他方の中間床３０は前記一方の中間床１５より上方に設けられ、該他方の中間床３０より上方には、第２収納空間４が設けられており、この第２収納空間４は仕切壁３４によって分割され、分割された一方の分割収納空間４ａは、前記吹抜け空間Ｋに面して開放されていることを特徴とする。
【０００９】
ここで、前記一方の中間床１５は、第１収納空間３の天井高が０．９〜１．４ｍとなるように高さ方向の位置を設定するのが望ましい。例えば、本発明の建物では、１．５層分以上の高さを有する階を備えているので、一方の中間床１５を例えば０．５層分の高さ位置に設けてもよい。このようにすると、一方の中間床１５の下方に、略０．５層分の高さ（天井高）の第１収納空間３を設けることができる。
また、他方の中間床３０は、第２収納空間４の天井高が０．９〜１．４ｍとなるように高さ方向の位置を設定するのが望ましい。例えば、本発明の建物では、１．５層分以上の高さを有する階を備えているので、他方の中間床３０を例えば１層分の高さ位置に設けてもよい。このようにすると、他方の中間床３０の上方に、略０．５層分の高さ（天井高）の第２収納空間４を設けることができる。
【００１０】
請求項２に記載の発明によれば、第２収納空間４が仕切壁３４によって分割され、分割された一方の分割収納空間４ａが吹抜け空間Ｋに面して開放されているので、一方の中間床１５上の部屋１６から前記分割収納空間４ａを利用することができ、分割収納空間４ａの使い勝手がよくなる。また、分割収納空間４ａの床は、一方の中間床１５より高い位置にあるので、分割収納空間４ａを吊り棚のようにして利用できる。
さらに、第１収納空間３には、吹抜け空間Ｋの床から平行移動して出入りできるので、第１収納空間３の使い勝手がよくなる。
【００１１】
請求項３に記載の発明は、請求項２に記載の建物において、
前記一方の中間床１５と他方の中間床３０との高低差が、０．５層分となっていることを特徴とする。
【００１２】
請求項３に記載の発明によれば、一方の中間床１５と他方の中間床３０との高低差が、０．５層分となっているので、一方の中間床１５と分割収納空間４ａの床との高低差が０．５層分となる。したがって、一方の中間床１５上の部屋２６から分割収納空間４ａに梯子等を使用しなくても容易に手が届き、よって、分割収納空間４ａを容易に利用できる。
【００１３】
請求項４に記載の発明は請求項２または３に記載の建物において、
前記第１収納空間は仕切壁１７によって分割され、分割された一方の分割収納空間３ａは、前記吹抜け空間Ｋに面して開放されていることを特徴とする。
【００１４】
請求項４に記載の発明によれば、第１収納空間３の分割収納空間３ａを、吹抜け空間Ｋの床から容易に利用できる。例えば、他方の中間床３０の下方にある部屋１６で使用する物を、吹抜け空間Ｋを通して分割収納空間３ａに収納したり、この分割収納空間３ａから取り出したりできる。
【００１５】
請求項５に記載の発明は、請求項２〜４のいずれか一項に記載の建物において、
前記一方の中間床１５より上方の居室空間２６と、前記他方の中間床３０より下方の居室空間１６とは、前記吹抜け空間Ｋを介して連続していることを特徴とする。
【００１６】
請求項５に記載の発明によれば、居室空間２６，１６どうしが吹抜け空間Ｋを介して連続しているので、居室空間２６，１６の斜め横方向への空間的な拡がりを得ることができる。
【００１７】
請求項６に記載の発明は、請求項２〜５のいずれか一項に記載の建物において、
前記仕切壁３４には、開口部３４ａとこの開口部３４ａを開閉する開閉部材３４ｂが設けられていることを特徴とする。
【００１８】
請求項６に記載の発明によれば、分割収納空間４ａを、収納空間４側からも開口部３４ａを通して利用できる。
【発明の効果】
【００１９】
本発明によれば、１．５層分以上の高さを有する階に、床面から天井面まで吹き抜ける吹抜け空間が設けられており、この吹抜け空間を挟むようにして中間床が設けられているので、一方の中間床の上方または下方にある部屋が、他方の中間床の上方または下方にある部屋と吹抜け空間を介して連続し、よって、部屋の横方向への空間的な拡がりを得ることができる。
【発明を実施するための最良の形態】
【００２０】
以下、図面を参照して本発明の実施の形態について説明する。
まず、本発明に係る建物の詳細を説明する前に、図１を参照して建物の概略構成を説明する。
図１は本発明に係る建物の概略構成を示す斜視図である。この図に示す建物は２階建ての建物であり、例えば周知のパネル工法によって構築されている。なお、建物は２階建てではあるが、２．５層分の高さを有している。また、建物には、１．５層分の高さを有する階が設けられている。
【００２１】
１．５層分の高さを有する階には、床面から天井面まで吹き抜ける吹抜け空間Ｋが設けられている。そして、この吹抜け空間Ｋを左右に挟むようにして中間床１５，３０が設けられている。なお、中間床３０は、１．５層分の高さを有する階から見れば、階の中間に位置するが、１層分の高さを有する１階の上に設けられた、１層分の高さを有する２階から見れば、２階の床の一部である。
そして、一方の中間床１５の下方には、第１収納空間３が設けられており、他方の中間床３０の上方には第２収納空間４が設けられている。第１収納空間３および第２収納空間４のいずれも天井高は、０．９〜１．４ｍ程度に設定されている。
【００２２】
次に、本発明に係る建物の詳細について説明する。
図２、図３、図５、図９および図１０に示すように、１階の床５の上方には前記中間床１５が設けられており、この中間床１５と床５との間が第１収納空間３とされている。なお、この第１収納空間３の高さ（天井高）は、略０．５層分高さ、具体的には、０．９〜１．４ｍ程度となっている。なお、図２（ｂ）は、１．５層分の高さを有する階を模式的に示す断面図である。
中間床１５は建物の西側の外壁に沿って設けられており、平面視において略長方形状に形成されている。第１収納空間３は、図２および図５に示すように、仕切壁１７，１９によって分割されている。仕切壁１７によって分割された一方の分割収納空間３ａ，３ａは前記吹抜け空間Ｋに面して開放されている。また、仕切壁１７は、第１収納空間３側に奥まって設けられており、これによって、中間床１５は食堂１６側にオーバーハングしている。また、仕切壁１７には、第１収納空間３内に出入りするための出入口１８が形成されており、この出入口１８は戸によって開閉できるようになっている。
【００２３】
また、前記仕切壁１９によって第１収納空間３内がさらに分割されている。なお、仕切壁１９には開口部が形成されており、この開口部によって、分割された第１収納空間３内を行き来できるようになっている。
さらに、第１収納空間３と外部を仕切る仕切壁（外壁）２０は、第１収納空間３側に奥まって設けられており、これによって、中間床１５は外部にオーバーハングしており、このオーバーハングした中間床１５の下方は、外部に開口する補助収納部３ｂとされている。この補助収納部３ｂは戸によって開閉できるようになっている。
【００２４】
また、食堂１６の北側には台所２１が設けられており、この台所２１の北側に玄関２２が設けられている。玄関２１に西側には浴室２３とトイレ２４が設けられており、これらの南側に洗面室２５が設けられている。食堂１６、台所２１、玄関２２のホール、浴室２３、トイレ２４、洗面室２５のそれぞれの床面はほぼ面一となっている。
【００２５】
前記中間床１５上には、図２、図３、図６、図９、図１０および図１１に示すように、居間２６が設けられている。この居間２６は平面視において中間床１５のほぼ全面上に設けられており、その南側には、バルコニー２７が設けられている。このバルコニー２７の床面と居間２６の床面とはほぼ面一となっている。中間床１５の、食堂１６側に位置する縁部には、手摺２９が設けられている。中間床１５と１階の床との間には階段２８が設けられており、この階段２８は平面視において前記第１収納空間３と浴室２５との間に配置されている。そして、この階段２８の階段下空間と前記第１収納空間３とは連通している。
【００２６】
前記建物の２階においては、図２、図４および図７に示すように、前記第２収納空間４が前記食堂１６の上方に設けられている。この第２収納空間４は、前記第２中間床３０と、その上方に設けられた第３中間床３１との間に設けられている。第２中間床３０は、実際は２階の床の一部であり、前記吹抜け空間Ｋに設けられた床である。２階の床３０上には、第２収納空間４と隣接して部屋９が設けられており、この部屋９と第２収納空間４とを仕切る仕切壁３２に出入口３３が形成され、この出入口３３によって第２収納空間４に部屋９から出入りできるようになっている。
第２収納空間４は仕切壁３４によって分割されており、分割された一方の分割収納空間４ａは、前記吹抜け空間Ｋに面して開放されている。また、仕切壁３４は、第２収納空間４側に奥まって設けられており、これによって、第２収納空間４の床３０ａは吹抜け空間Ｋ側にオーバーハングしている。そして、このオーバーハングした床３０ａの上方が前記分割収納空間４ａとされている。また、仕切壁３４には、開口部３４ａとこれを開閉する戸３４ｂとが設けられており、この開口部３４ａを通して分割収納空間４ａを第２収納空間４から利用できるようになっている。例えば、第２収納空間４から分割収納空間４ａに大画面テレビやスクリーン等を持ち込んで設置できる。
そして、第２収納空間４と第１収納空間３との間には、１階の床５から第３中間床３１の下面まで吹き抜ける吹抜け空間Ｋが設けられているので、一方の中間床１５上の居間２６から吹抜け空間Ｋを通して大画面テレビやスクリーン等見ることができるようになっている。
また、分割収納空間４ａの床３０ａは、中間床１５より略０．５層分上方に位置しているので、この分割収納空間４ａを、中間床１５上の居間２６から容易に使用することもできる。
【００２７】
また、前記中間床１５と２階の床３０との間には階段３７が設けられており、この階段３７には、踊り場３７ａを解して階段３５が接続されている。階段３５は踊り場３７ａと前記第３中間床３１との間に設けられている。踊り場３７ａは２階の床３０と等しい高さに設けられており、この踊り場３７ａの北側にトイレ３６が設けられている。
【００２８】
第３中間床３１上には、図２、図３、図４、図８、図１０および図１１に示すように、部屋１１，１１が設けられており、この部屋１１，１１を仕切る壁は平面視において略Ｓ字状に配置されており、その凹所がそれぞれ収納１１ａ，１１ａとされている。また、２階の天井裏には前記部屋９の上方において前記小屋裏収納１２が設けられており、この小屋裏収納１２は東側に位置する部屋１１に向けて開口している。つまり、部屋１１は２階の床３より高い位置にある第３中間床３１上に設けられているので、この部屋１１の上部は小屋裏空間に突出している。したがって、前記小屋裏収納１２を部屋１１に向けて横方向に開口できるのである。
【００２９】
本実施の形態によれば、以下のような効果を奏することができる。
図１に示すように、１．５層分の高さを有する階においては、第１収納空間３、第２収納空間４、居間２６、食堂１６、吹抜け空間Ｋが設けられている。そして、食堂１６と、これより０．５層分高い位置にある居間２６とが吹抜け空間Ｋを介して連続している。したがって、この部屋に空間的な拡がりを持たせることができる。つまり、第１収納空間３上の居間２６と、第２収納空間４下の食堂１６は床に段差があり、天井の位置にも段差があるが、空間的に連続しているので、空間的な拡がりＫ２を持たせることができる。
【００３０】
また、図５〜図７に示すように、前記第１収納空間３と第２収納空間４との間で、１．５層分の高さに相当する高さの吹抜け空間Ｋが設けられているので、第１収納空間３および第２収納空間４があっても、上下方向に空間の拡がりを確保できる。したがって、第２収納空間４下にある食堂１６と第１収納空間３上にある居間２６との間で、採光や通風を確保できる。
【００３１】
また第１収納空間３には、１階の床５から出入りすることができ、第２収納空間４には２階の部屋９の床から出入りすることができるので、収納部３，４の使い勝手もよい。さらに、第２収納空間４の床と、部屋９の床とがほぼ面一となっているので、この部屋９から第２収納空間４に平行移動によって容易に出入りすることができる。
【００３２】
また、第２収納空間４を分割する仕切壁３４に、開口部３４ａとこの開口部を開閉する戸（開閉部材）３４ｂが設けられているので、分割収納空間４ａを、第２収納空間４側からも開口部３４ａを通して利用でき、使い勝手がさらによくなる。
【図面の簡単な説明】
【００３３】
【図１】本発明に係る建物の一例を示すもので、建物の概略構成を示す斜視図である。
【図２】同、（ａ）は建物の縦断面図、（ｂ）は１．５層分の高さを有する階を模式的に示す断面図である。
【図３】同、図２におけるＡ−Ａ線断面図である。
【図４】同、図２におけるＢ−Ｂ線断面図である。
【図５】同、建物の１階の、中間床より下の平面図である。
【図６】同、建物の１階の、中間床より上の平面図である。
【図７】同、建物の２階の、第２中間床より下の平面図である。
【図８】同、建物の２階の、第２中間床より上の平面図である。
【図９】同、建物内部を東南方向から見上げた斜視図である。
【図１０】同、建物内部を東南方向から見下げた斜視図である。
【図１１】同、建物内部を斜め上方から見た斜視図である。
【符号の説明】
【００３４】
３  第１収納部
３ａ  分割収納空間
４  第２収納部
４ａ  分割収納空間
１５，３０  中間床
１７  仕切壁
３４  仕切壁
３４ａ  開口部
３４ｂ  戸（開閉部材）
【図１】
2006077457.tif 000003
【図２】
2006077457.tif 000004
【図３】
2006077457.tif 000005
【図４】
2006077457.tif 000006
【図５】
2006077457.tif 000007
【図６】
2006077457.tif 000008
【図７】
2006077457.tif 000009
【図８】
2006077457.tif 000010
【図９】
2006077457.tif 000011
【図１０】
2006077457.tif 000012
【図１１】
2006077457.tif 000013